(57)【要約】【課題】携帯電話などの移動体通信に用いられるアンテナに関し、アンテナ素子が端部を含めて曲面的な面に浮きなく配されたものを得ることを目的とする。【解決手段】基部２１の曲面形状で形成された素子装着面としてなる前方側面部２２に、上記前方側面部２２に沿う形状よりも曲げが強い曲面形状で形成されたアンテナ素子３１の線状部４５の中央を素子装着面に近接状態に保持させることにより、アンテナ素子３１の端部を含めて素子装着面からの浮きが防止された構成のものに実現できる。【選択図】図１
2007165965.tif 000002
【特許請求の範囲】
【請求項１】
素子装着面としてなる面が、中央が外方側に膨出したゆるやかな曲面形状で形成された樹脂製の基部と、その素子装着面に固定される金属板製のアンテナ素子とからなり、上記アンテナ素子は、その中央近傍位置に保持手段を有すると共に上記基部の素子装着面に沿う形状よりも曲げが強い曲面形状で形成されており、上記保持手段で上記アンテナ素子の中央部が上記素子装着面に近接状態に保持されることによって上記素子装着面からの上記アンテナ素子の端部の浮きが防止されて装着されたアンテナ。
【請求項２】
基部は、一つの側面部が外方側に膨出したゆるやかな曲面形状で形成された素子装着面としてなり、上記素子装着面に応じたアンテナ素子の部位が細幅の線状部で形成され、その線状部は、長手方向における中央近傍位置に保持手段を有すると共に上記基部の素子装着面に沿う形状よりも曲げが強い曲面形状で形成されており、上記保持手段で上記線状部の中央部が上記素子装着面に近接状態に保持されることによって上記素子装着面からの上記アンテナ素子の端部の浮きが防止されて装着された請求項１記載のアンテナ。
【請求項３】
基部は、上下の厚み方向に貫通する貫通孔を形成する壁部をアンテナ素子が配置されていない領域内に備え、上記貫通孔を、上記基部の貫通孔位置下方に対応させて配された音源からの音の集音部として機能させるようにした請求項２記載のアンテナ。
【発明の詳細な説明】
【技術分野】
【０００１】
本発明は、携帯電話などの移動体通信に搭載されるアンテナに関するものである。
【背景技術】
【０００２】
近年、携帯電話を含めた移動体通信は音声通話や文字や動画などのデータ通信へのサービスが多様化し、高性能な無線装置が要求されている。特に、電波が送受信される入口となるアンテナの性能は、無線装置の性能を左右する大きな要因の一つともなり、高性能であるアンテナが要望されている。
【０００３】
また、無線装置は小型薄型化の進展も激しく、小容積でしかもアンテナ搭載部分を他の機能部分と共用化できるものの検討も進んでいる。
【０００４】
ここで従来のアンテナについて、図面を用いて説明する。
【０００５】
図３は従来のアンテナの斜視図、図４は同アンテナの搭載状態を模式的に示す断面図であり、同図に示すように、従来のアンテナは、矩形に形成された金属板製のアンテナ素子１と、外形が略直方体状に形成された絶縁樹脂製の基部２とからなり、基部２の平坦に形成された上面部上にアンテナ素子１が固定されて構成されている。
【０００６】
そして、上記アンテナ素子１は、矩形に形成された上板部１Ａの略中央位置にＵ字状のスリット１Ｂが設けられている。一方、基部２には、そのスリット１Ｂ位置に応じて上面部に切り欠き２Ｂが設けられていると共に、その上面部より下方部分は中空部２Ａとしてなる形状で形成されている。なお、アンテナ上を含めて上方を覆う機器の上側筐体の図示は省略するが、このアンテナ装着位置に応じた上側筐体部分が受話部としてなる構成となっている。また、当該従来のアンテナは、同図に示したようにプリント配線基板４上に配置されて装着されると共に、その装着状態で上板部１Ａに一体形成された給電部などが機器筐体内に配された図示しない無線回路に繋がっている。
【０００７】
そして、６はスピーカであり、従来のアンテナの基部２における中空部２Ａ内に収納状態となるようにしてプリント配線基板４に設けられた装着孔内に装着されている。
【０００８】
上記構成とされた無線装置は、当該アンテナを介して電波の送受信が行われて使用されるものであり、例えば通話時におけるスピーカ６からの音は、基部２の中空部２Ａおよびアンテナ素子１のスリット１Ｂを介して上側筐体の受話部から伝達されるものであった。
【０００９】
なお、この出願の発明に関連する先行技術文献情報としては、例えば、特許文献１が知られている。
【特許文献１】特開２００３−２０４５９４号公報
【発明の開示】
【発明が解決しようとする課題】
【００１０】
近年、無線装置の小型薄型化が進展すると共に、その外形においても滑らかな曲線で繋がれた形状のものが好まれ、特に上記従来の内蔵式のアンテナの装着位置としては、良好な電波の送受信状態を実現するために、筐体における上端部位置等に設定されることが多く、アンテナ外形が曲面部を備えた略直方体形状以外の形状で指定されることが多くなってきた。
【００１１】
しかしながら、アンテナ素子１の上板部１Ａが基部２の上面部上に配されて構成された上記従来のアンテナでは、例えば、基部２の上面部が、その前方上面部の角部がないように前方にかけて次第にすぼまる曲面状に指定された場合、その曲面的な部分に上板部１Ａを配すると、その端部が素子装着面から浮きやすく、そこに指などが引っ掛かりアンテナ素子１の変形が発生する要因ともなるので、その曲面的な部分を除いて配することが多かった。
【００１２】
本発明は、このような従来の課題を解決するものであり、アンテナ素子が、曲面的に形成された素子装着面の部分を含めて配され、しかもその部分におけるアンテナ素子の端部を含めて上記素子装着面からの浮きが防止されたアンテナを提供することを目的とする。
【課題を解決するための手段】
【００１３】
上記目的を達成するために本発明は、以下の構成を有するものである。
【００１４】
本発明の請求項１に記載の発明は、素子装着面としてなる面が、中央が外方側に膨出したゆるやかな曲面形状で形成された樹脂製の基部と、その素子装着面に固定される金属板製のアンテナ素子とからなり、上記アンテナ素子は、その中央近傍位置に保持手段を有すると共に上記基部の素子装着面に沿う形状よりも曲げが強い曲面形状で形成されており、上記保持手段で上記アンテナ素子の中央部が上記素子装着面に近接状態に保持されることによって上記素子装着面からの上記アンテナ素子の端部の浮きが防止されて装着されたアンテナである。
【００１５】
当該構成であれば、曲面的に指定された面にアンテナ素子を装着する場合において、その部分に配されたアンテナ素子の端部を含んで基部からの浮きが防止されたものに実現できるという作用を有する。
【００１６】
請求項２に記載の発明は、請求項１記載の発明において、基部は、一つの側面部が外方側に膨出したゆるやかな曲面形状で形成された素子装着面としてなり、上記素子装着面に応じたアンテナ素子の部位が細幅の線状部で形成され、その線状部は、長手方向における中央近傍位置に保持手段を有すると共に上記基部の素子装着面に沿う形状よりも曲げが強い曲面形状で形成されており、上記保持手段で上記線状部の中央部が上記素子装着面に近接状態に保持されることによって上記素子装着面からの上記アンテナ素子の端部の浮きが防止されて装着されたものであり、基部の側面部にアンテナ素子が浮きなく配されたものに実現できるという作用を有する。
【００１７】
請求項３に記載の発明は、請求項２記載の発明において、基部は、上下の厚み方向に貫通する貫通孔を形成する壁部をアンテナ素子が配置されていない領域内に備え、上記貫通孔を、上記基部の貫通孔位置下方に対応させて配された音源からの音の集音部として機能させるようにしたものであり、アンテナ素子が配置されない基部の位置を有効活用して付加機能を備えさせたものにできるという作用を有する。
【発明の効果】
【００１８】
以上のように本発明によれば、曲面的に指定された面にアンテナ素子を装着することとなっても、アンテナ素子の端部含めて基部からの浮きが防止されたアンテナが実現できるという有利な効果が得られる。
【発明を実施するための最良の形態】
【００１９】
以下、本発明の実施の形態について、図１〜図２を用いて説明する。
【００２０】
（実施の形態）
図１は本発明の一実施の形態によるアンテナの斜視図、図２は同分解斜視図である。なお、以下の説明では、同図内に矢印で示した方向を前後左右として定義して説明している。
【００２１】
同図において、２１は、所定厚みで形成された樹脂製の基部であり、その前方側面部２２は、上面視で中央が前方側（外方側）に膨出した曲面形状となるように機器メーカーから形状が指定されている。その膨出状態としては、角部などなくゆるやかな曲がりで前方側に突出する指定とされている。また、その前方上面側の角部を抑える形状の指定もされており、上記前方側面部２２は、基部２１の厚みからすると平坦面としては短寸の厚みしか取れない形状に指定されている。なお、この前方側面部２２が、請求項に記載したゆるやかな曲面形状で形成された素子装着面としてなる面である。
【００２２】
そして、その前方側面部２２の中央上面位置には上方開口の窪み部２３が設けられ、その窪みの中には、基部２１と一体で設けられた上方に突出する係合突部２４を有している。
【００２３】
そして、３１は、基部２１に装着された金属板製のアンテナ素子であり、その形状は、左側方が開口するコの字状部４１と、そのコの字状部４１の後端位置に左側に直交する関係で延設された受け部４２と、そのコの字状部４１の底部にあたる面から前方側に延設された線状部４５から主に構成されている。その線状部４５が、上記前方側面部２２に対して板厚側で重なるようにして配される部位となり、上記前方側面部２２の中央位置にあたる箇所には、基部２１の上下面に平行関係で後方側に延びるように曲げ形成された突片部４８が設けられている。その突片部４８が保持手段としてなり、上下に貫通する保持用孔部４７を備えている。
【００２４】
また、組み込み前の線状部４５の形状は、上記前方側面部２２に沿う形状よりも曲げが強い上面視曲面形状に予め曲げ形成されたものとなっている。
【００２５】
そして、上記アンテナ素子３１は、基部２１の後方側面部を受け部４２で受けるようにしつつ基部２１の右側部をコの字状部４１内に挟持させて配されると共に、線状部４５における突片部４８の保持用孔部４７に前方側面部２２に設けられた係合突部２４が挿入保持されて上記前方側面部２２の中央部と線状部４５の中央部分とが密着するような近接状態で配されている。
【００２６】
このとき、前方側面部２２と線状部４５とは上述したように曲面状態が異なり、線状部４５の方を曲げを強くしているため、前方側面部２２に線状部４５の中央位置が近接配置されると、線状部４５の長手方向の先端部やコの字状部４１に繋がる根元部を含んで、全長に亘って線状部４５が自然と前方側面部２２に近接した配置状態になる。
【００２７】
そして、コの字状部４１の対向した板状部および線状部４５などは、基部２１に設けられたカシメ突起２５および係合突部２４の先端を潰しカシメすることにより全体が基部２１に固定されている。
【００２８】
以上のように、当該実施の形態によるアンテナは、アンテナ素子３１を基部２１側面に配したものである。このため、通常アンテナ素子が配される基部２１の上下面の比較的大きなスペースが空くものとして構成され、その空きスペースを用いて付加機能を備えさせたものなどにも構成することができる。
【００２９】
例えば、当該アンテナにおいては、上記空きスペースとなる基部２１の上下面に壁部２７Ａで囲まれて形成された貫通孔２７を備えさせている。その貫通孔２７の位置設定としては、当該アンテナを使用機器に搭載した際に、同じく上記機器に搭載されたスピーカ（図示せず）が、貫通孔２７位置の下方になるように対応されている。上記設定で機器に組み込まれたものであれば、音源としてなるスピーカからの音が、貫通孔２７を形成する壁部２７Ａを介して確実に集音されて基部２１の上面側から明快な音の伝達がなされるものに実現できる。
【００３０】
なお、貫通孔２７の壁部２７Ａは上面側になるほど径が大きくなる設定にすれば、音の拡散状態なども良好なものとなり好ましい。
【００３１】
以上のように当該アンテナは、アンテナ素子３１が端部を含めて曲面的に指定された面に浮きなく装着されたものとして実現することができる。上記アンテナ素子３１の装着状態にできると、当該アンテナの取り扱い時にアンテナ素子３１の端部に指などを引っ掛けて発生するアンテナ素子３１の変形などが防止でき、しかも基部２１において、曲面の設定の多い側面部分を素子装着面とすることもできる。そして、側面部分を素子装着面としてなるものは、アンテナ素子３１が配置されない基部２１の上下面位置を有効活用して付加機能を備えさせることも可能となる。
【００３２】
また、アンテナ素子３１が基部２１に浮きなく装着されると、アンテナの特性もばらつきのない安定したものとなるという効果も得られる。
【００３３】
なお、当該アンテナは、携帯電話などをはじめとする移動体通信用の無線装置に搭載されて使用され、その動作は、機器の無線回路に繋がれたアンテナ素子３１を介して電波の送受信を行う一般的なものであるため、詳細説明は省略する。
【００３４】
ここで、アンテナ素子３１の基部２１への固定方法について簡単に説明する。
【００３５】
まず、基部２１の後方側面部を受け部４２で受けるようにしつつアンテナ素子３１のコの字状部４１を基部２１の右側部に嵌め込み、素子装着面としてなる前方側面部２２に線状部４５を位置させる。このときには、前方側面部２２よりも曲げの強い線状部４５は、その先端部が前方側面部２２に当接し、中央部分等が浮いており、全体が素子装着面に対し近接的な配置状態にはなっていない。
【００３６】
そして、その状態で線状部４５を若干ねじりながら、その中央位置に配された突片部４８の保持用孔部４７を前方側面部２２に設けられた係合突部２４に嵌め込んで保持させる。このとき、受け部４２で基部２１の後方側面部を受けている当該構成であれば、上記のねじりを含む工程であっても、基部２１に対してコの字状部４１での挟持のみの仮固定状態であるアンテナ素子３１が基部２１から不用意に外れることなどもなく好ましい。
【００３７】
そして、上記の嵌め込みによって、線状部４５の中央位置が前方側面部２２に密着するような近接配置状態となり、それに伴って前方側面部２２より曲げの強い線状部４５は、ゆるやかな曲面形状で形成された前方側面部２２に自然と全体的に近接状態となると共に、保持用孔部４７から線状部４５先端側に設けられたカシメ用孔部は対応するカシメ突起２５になめらかに嵌まり込み、特に線状部４５の長手方向の先端部やコの字状部４１に繋がる根元部はその曲がりの度合いの差から素子装着面に密着するようになる。
【００３８】
最後に、基部２１のカシメ突起２５、係合突部２４を潰しカシメすることにより、コの字状部４１の対向した板状部、線状部４５などのカシメ固定をして当該アンテナを完成させる。
【００３９】
このように、当該アンテナは、簡素な工程で曲面形状で形成された前方側面部２２にアンテナ素子３１の線状部４５を浮きなく配されたものに構成でき、製造コスト的にも有利である。
【００４０】
なお、上記には基部２１の側面部が素子装着面としてなるものを説明したが、上面などのその他の面を素子装着面としてもよい。その場合でも、上記素子装着面の中央位置を外方側に膨出する曲面形状に形成し、対応するアンテナ素子をその面に沿う形状よりも曲げが強い曲面形状に形成されたものとし、そのアンテナ素子の中央部を上記素子装着面の中央位置に近接させて保持させることにより同様に上記基部の素子装着面にアンテナ素子の端部の浮きが防止された状態でアンテナ素子の装着がなされたものに構成できる。
【００４１】
なお、当該発明は、上記思想で基部に装着されたアンテナ素子の数などに何等限定されることなく、さらにアンテナのタイプなどにも限定されるものでもない。また、アンテナ素子の保持手段なども上記に説明した構成のみに限られず、他の構成のものであってもよい。
【産業上の利用可能性】
【００４２】
本発明によるアンテナは、アンテナ素子が端部を含めて曲面的な面に浮きなく配された構成のものに実現できるという効果を有し、携帯電話などの移動体通信等に有用である。
【図面の簡単な説明】
【００４３】
【図１】本発明の一実施の形態によるアンテナの斜視図
【図２】同分解斜視図
【図３】従来のアンテナの斜視図
【図４】同アンテナの搭載状態を模式的に示す断面図
【符号の説明】
【００４４】
２１  基部
２２  前方側面部
２３  窪み部
２４  係合突部
２５  カシメ突起
２７  貫通孔
２７Ａ  壁部
３１  アンテナ素子
４１  コの字状部
４２  受け部
４５  線状部
４７  保持用孔部
４８  突片部（保持手段）
【図１】
2007165965.tif 000003
【図２】
2007165965.tif 000004
【図３】
2007165965.tif 000005
【図４】
2007165965.tif 000006